(57)【要約】      （修正有）【課題】ブロードキャスティングモードがあるスピーカ及びスピーカのブロードキャスティング方法を提供する。【解決手段】ブロードキャスティングモードの間、マスタースピーカ１は、音源をスマートフォン１から取得し、音声ストリームを複数のスレーブスピーカ２〜Ｎに再ブロードキャストするブロードキャスタの役割を果たす。スレーブスピーカ２〜Ｎは、それぞれ、レシーバの役割を果たし、マスタースピーカ１からブロードキャストされる音声ストリームを受信する。【選択図】図２
2020184750.tif 000002
【特許請求の範囲】
【請求項１】
ブロードキャスティングモードを有するスピーカであって、前記スピーカは、
マスターモードと、
スレーブモードと、を含み、
前記マスターモードでは、前記スピーカはスマートデバイスに接続され、音声ストリームを前記スマートデバイスから取得し、前記音声ストリームを再ブロードキャストし、
前記スレーブモードでは、前記スピーカは、前記マスターモードである別のスピーカに接続される、前記音声ストリームを受信し、前記音声ストリームを再生する、前記スピーカ。
【請求項２】
前記ブロードキャスティングモードでは、前記スピーカは、前記マスターモードと前記スレーブモードとに切り替えられることができる、請求項１に記載のスピーカ。
【請求項３】
前記ブロードキャスティングモードはブロードキャスタモードを含み、入って来る前記音声ストリームがＡ２ＤＰ音声ストリームであるとき、前記スピーカは前記ブロードキャスタモードに移行する、請求項２に記載のスピーカ。
【請求項４】
前記ブロードキャスティングモードはレシーバモードを含み、入って来るものがＡ２ＤＰ音声ストリームではないとき、前記スピーカは前記レシーバモードに入る、請求項２に記載のスピーカ。
【請求項５】
前記ブロードキャスティングモードは、さらに、前記スピーカがイベントを待機する一時モードを含む、請求項２に記載のスピーカ。
【請求項６】
前記イベントは、設定確認イベント、起動確認イベント、削除確認イベント、またはそれらの組み合わせのうちの少なくとも１つを含む、請求項５に記載のスピーカ。
【請求項７】
前記スピーカはボタンが提供され、前記ボタンを１回押すことによって、前記スピーカは前記ブロードキャスティングモードと通常モードとに切り替わり得る、請求項１に記載のスピーカ。
【請求項８】
前記スマートデバイスは、ブルートゥース（登録商標）接続性がある携帯電話、タブレット、またはコンピュータを備える、請求項１に記載のスピーカ。
【請求項９】
前記スピーカはブルートゥース（登録商標）式ポータブルスピーカである、請求項１に記載のスピーカ。
【請求項１０】
ブロードキャスティングモードを有するマルチスピーカブロードキャスティングシステムであって、
請求項１に記載の複数のスピーカを備え、
前記複数のスピーカのうちの１つのスピーカはマスターモードであり、
前記複数のスピーカのうちの少なくとも１つのスピーカはスレーブモードである、前記マルチスピーカブロードキャスティングシステム。
【請求項１１】
ブロードキャスティングモードを実施するための方法であって、
複数のスピーカのうちの１つのスピーカを、前記１つのスピーカがマスターモードで音声ストリームを取得する音声再生デバイスに接続するステップと、
前記複数のスピーカのうちの少なくとも１つのスピーカを、前記マスターモードの前記１つのスピーカに接続するステップであって、前記少なくとも１つのスピーカは、スレーブモードで、前記１つのスピーカから音声ストリームを受信する、前記接続するステップと、
前記マスターモードの前記１つのスピーカから、前記スレーブモードの前記少なくとも１つのスピーカに、前記音声ストリームを再ブロードキャストするステップと、
を含む、前記方法。
【請求項１２】
前記スピーカは、前記ブロードキャスティングモードにおいて連続的に前記マスターモードと前記スレーブモードとに切り替わることができる、請求項１１に記載のシステム。
【請求項１３】
前記ブロードキャスティングモードはブロードキャスタモードを含み、入って来る前記音声ストリームがＡ２ＤＰ音声ストリームであるとき、前記スピーカは前記ブロードキャスタモードに移行する、請求項１１に記載のシステム。
【請求項１４】
前記ブロードキャスティングモードはレシーバモードを含み、入って来るものがＡ２ＤＰ音声ストリームではないとき、前記スピーカは前記レシーバモードに入る、請求項１１に記載のシステム。
【請求項１５】
前記ブロードキャスティングモードは、さらに、前記スピーカがイベントを待機する一時モードを含む、請求項１１に記載のシステム。
【請求項１６】
前記イベントは、設定確認イベント、起動確認イベント、及び削除確認イベントのうちの少なくとも１つを含む、請求項１５に記載のシステム。
【請求項１７】
前記スピーカはボタンが提供され、前記ボタンを押すことによって、前記スピーカは前記ブロードキャスティングモードと通常モードとに切り替わり得る、請求項１１に記載の方法。
【請求項１８】
前記スマートデバイスは携帯電話またはコンピュータを備える、請求項１１に記載の方法。
【請求項１９】
前記スピーカはブルートゥース（登録商標）式ポータブルスピーカである、請求項１１に記載の方法。
【発明の詳細な説明】
【技術分野】
【０００１】
本開示は、概して、ブロードキャスティングモードがあるスピーカに関する。より具体的には、本開示は、音声を複数のスピーカにストリームすることを可能にする、ブロードキャスティングモードがあるスピーカに関する。本開示は、さらに、マルチスピーカブロードキャスティングシステムと、ブロードキャスティングモードを実施するための当該システムの方法とに関する。
【背景技術】
【０００２】
最近では、ブルートゥース（登録商標）式ポータブルスピーカは、一般ユーザによって広く使用されている。通常、スピーカは、携帯電話、タブレット、コンピュータ、または音声再生デバイス等のスマートデバイスに接続され、Ａｄｖａｎｃｅｄ  Ａｕｄｉｏ  Ｄｉｓｔｒｉｂｕｔｉｏｎ  Ｐｒｏｆｉｌｅ（Ａ２ＤＰ）によって、デバイスから来る音楽音声ストリームをストリームし、音声を再生し得る。しかしながら、各デバイスに存在する１つのブルートゥース（登録商標）接続だけによって制限され、１つのスピーカだけが、そのデバイスに接続されることができ、ひいては、この音声ストリームは１対１の関係だけにおいて行われる。
【０００３】
スマートフォンとスピーカとの間のブルートゥース（登録商標）接続の例は図１に示される。図１に示されるアーキテクチャでは、それらの示されるスピーカのうちの１つのスピーカ（スピーカ１）だけが、ブルートゥース（登録商標）によってスマートフォン１に接続され、スマートフォン１から取得されたＡ２ＤＰ音楽を受信及び再生している。
【０００４】
したがって、同時に複数のスピーカの全てのスピーカ上で音声ストリームを再生するように、音声再生デバイスに接続するスピーカから、複数のスピーカに音声ストリームを再ブロードキャストする必要性があり得る。
【発明の概要】
【課題を解決するための手段】
【０００５】
本開示は、ブロードキャスティングモードがあるスピーカを提供することによって、前述の欠点の一部を克服する。
【０００６】
一実施形態では、ブロードキャスティングモードの提供されるスピーカは、音声再生デバイスに接続するスピーカから複数のスピーカに音声ストリームを再ブロードキャストすることが可能である。この特徴は、本開示では、ブロードキャスト機能またはパーティーブースト機能と呼ばれる。
【０００７】
一実施形態では、本開示は、さらに、ブロードキャスティングモードがあるマルチスピーカブロードキャスティングシステムを提供する。常に、音声再生デバイスに接続する１つのマスタースピーカと、本システム内のマスタースピーカに接続する少なくとも１つのスレーブスピーカとが存在する。本システムのブロードキャスティングモードでは、マスタースピーカは、音声再生デバイスから複数のスレーブスピーカに音声ストリームを再ブロードキャストすることが可能であり、ひいては、音声ストリームは、本システム内の全てのスピーカ上で再生され得る。
【０００８】
一実施形態では、本開示は、さらに、マルチスピーカシステムのブロードキャスティングモードを実施するための方法を提供する。
【０００９】
別の実施形態では、スピーカがブロードキャスト機能を行うブロードキャスティングモードは、本開示に提供されるパーティーブーストキー等のスピーカ上のボタンを１回押すことによって、オン及びオフになり得る。アーキテクチャ及びユーザインタフェース／ユーザエクスペリエンスの定義により、スピーカは、パーティーブーストキーを１回押すことによってブロードキャスティングモードに入る。スレーブモードのスピーカは、入って来るＡ２ＤＰ音声ストリームが存在するとき、マスターモードに変わる。そうでなければ、Ａ２ＤＰ音声ストリームが停止するとき、スピーカはスレーブモードに戻るように変わる。ブロードキャスティングモードでは、スピーカのブロードキャスタの役割またはレシーバの役割の定義は、ユーザが操作しなくても自動的に完了するであろう。
例えば、本願は以下の項目を提供する。
（項目１）
ブロードキャスティングモードを有するスピーカであって、上記スピーカは、
マスターモードと、
スレーブモードと、を含み、
上記マスターモードでは、上記スピーカはスマートデバイスに接続され、音声ストリームを上記スマートデバイスから取得し、上記音声ストリームを再ブロードキャストし、
上記スレーブモードでは、上記スピーカは、上記マスターモードである別のスピーカに接続される、上記音声ストリームを受信し、上記音声ストリームを再生する、上記スピーカ。
（項目２）
上記ブロードキャスティングモードでは、上記スピーカは、上記マスターモードと上記スレーブモードとに切り替えられることができる、上記項目に記載のスピーカ。
（項目３）
上記ブロードキャスティングモードはブロードキャスタモードを含み、入って来る上記音声ストリームがＡ２ＤＰ音声ストリームであるとき、上記スピーカは上記ブロードキャスタモードに移行する、上記項目のいずれか一項に記載のスピーカ。
（項目４）
上記ブロードキャスティングモードはレシーバモードを含み、入って来るものがＡ２ＤＰ音声ストリームではないとき、上記スピーカは上記レシーバモードに入る、上記項目のいずれか一項に記載のスピーカ。
（項目５）
上記ブロードキャスティングモードは、さらに、上記スピーカがイベントを待機する一時モードを含む、上記項目のいずれか一項に記載のスピーカ。
（項目６）
上記イベントは、設定確認イベント、起動確認イベント、削除確認イベント、またはそれらの組み合わせのうちの少なくとも１つを含む、上記項目のいずれか一項に記載のスピーカ。
（項目７）
上記スピーカはボタンが提供され、上記ボタンを１回押すことによって、上記スピーカは上記ブロードキャスティングモードと通常モードとに切り替わり得る、上記項目のいずれか一項に記載のスピーカ。
（項目８）
上記スマートデバイスは、ブルートゥース（登録商標）接続性がある携帯電話、タブレット、またはコンピュータを備える、上記項目のいずれか一項に記載のスピーカ。
（項目９）
上記スピーカはブルートゥース（登録商標）式ポータブルスピーカである、上記項目のいずれか一項に記載のスピーカ。
（項目１０）
ブロードキャスティングモードを有するマルチスピーカブロードキャスティングシステムであって、
上記項目のいずれか一項に記載の複数のスピーカを備え、
上記複数のスピーカのうちの１つのスピーカはマスターモードであり、
上記複数のスピーカのうちの少なくとも１つのスピーカはスレーブモードである、上記マルチスピーカブロードキャスティングシステム。
（項目１１）
ブロードキャスティングモードを実施するための方法であって、
複数のスピーカのうちの１つのスピーカを、上記１つのスピーカがマスターモードで音声ストリームを取得する音声再生デバイスに接続するステップと、
上記複数のスピーカのうちの少なくとも１つのスピーカを、上記マスターモードの上記１つのスピーカに接続するステップであって、上記少なくとも１つのスピーカは、スレーブモードで、上記１つのスピーカから音声ストリームを受信する、上記接続するステップと、
上記マスターモードの上記１つのスピーカから、上記スレーブモードの上記少なくとも１つのスピーカに、上記音声ストリームを再ブロードキャストするステップと、
を含む、上記方法。
（項目１２）
上記スピーカは、上記ブロードキャスティングモードにおいて連続的に上記マスターモードと上記スレーブモードとに切り替わることができる、上記項目に記載のシステム。
（項目１３）
上記ブロードキャスティングモードはブロードキャスタモードを含み、入って来る上記音声ストリームがＡ２ＤＰ音声ストリームであるとき、上記スピーカは上記ブロードキャスタモードに移行する、上記項目のいずれか一項に記載のシステム。
（項目１４）
上記ブロードキャスティングモードはレシーバモードを含み、入って来るものがＡ２ＤＰ音声ストリームではないとき、上記スピーカは上記レシーバモードに入る、上記項目のいずれか一項に記載のシステム。
（項目１５）
上記ブロードキャスティングモードは、さらに、上記スピーカがイベントを待機する一時モードを含む、上記項目のいずれか一項に記載のシステム。
（項目１６）
上記イベントは、設定確認イベント、起動確認イベント、及び削除確認イベントのうちの少なくとも１つを含む、上記項目のいずれか一項に記載のシステム。
（項目１７）
上記スピーカはボタンが提供され、上記ボタンを押すことによって、上記スピーカは上記ブロードキャスティングモードと通常モードとに切り替わり得る、上記項目のいずれか一項に記載の方法。
（項目１８）
上記スマートデバイスは携帯電話またはコンピュータを備える、上記項目のいずれか一項に記載の方法。
（項目１９）
上記スピーカはブルートゥース（登録商標）式ポータブルスピーカである、上記項目のいずれか一項に記載の方法。
（摘要）
ブロードキャスティングモードを有するスピーカ、マルチスピーカシステムと、ブロードキャスティングを実施するための方法とが開示される。ブロードキャスティングモードでは、スピーカは、音声再生デバイスに接続するスピーカから複数のスピーカに音声ストリームを再ブロードキャストすることが可能である。単純及び直感的に１回ボタンを押すことを利用することによって、スピーカはブロードキャスティングモードに入り、ユーザが操作しなくても、レシーバの役割と、ブロードキャスタの役割とを自動的に切り替えることができる。
【００１０】
本開示は、添付図を参照して、非限定実施形態の以下の説明を読むことから良好に理解され得る。図では、同様の参照数字は対応する部分を示す。
【図面の簡単な説明】
【００１１】
【図１】通常モードで作動するスピーカを示す概略図である。
【図２】図２Ａは、本発明の実施形態による、ブロードキャスティングモード１のマスタースピーカ及びスレーブスピーカを示す概略図である。図２Ｂは、本発明の実施形態による、ブロードキャスティングモード２のマスタースピーカ及びスレーブスピーカを示す概略図である。
【図３】本発明の実施形態による、スピーカのスピーカボタンレイアウトの一例を示す概略図である。
【図４】本発明の実施形態による、スピーカのブロードキャスト状態の変化を示す概略図である。
【発明を実施するための形態】
【００１２】
必要に応じて、本発明の詳細な実施形態が本明細書に開示される。しかしながら、開示された実施形態は、様々な形態及び代替の形態で具体化され得る本発明の単なる例であることを理解されたい。図は必ずしも縮尺通りではない。一部の特徴は、特定の構成要素の詳細を示すために誇張または最小にされ得る。したがって、本明細書に開示される具体的な構造及び機能の詳細は、限定するものではなく、単に当業者が本発明を様々に使用するのに教示するための代表的な基準として解釈されたい。
【００１３】
当業者によって理解されることができるように、スピーカは、同義語で、本開示のブロードキャスティングモードがあるマルチスピーカシステムに関与するスピーカのユニットとして説明される。
【００１４】
本発明の１つの目的は、本システム内の全てのスピーカ上で音声を再生するように、音声再生デバイスに接続するスピーカから複数のポータブルスピーカに音声ストリームを再ブロードキャストするために、ブロードキャスティングモードがあるスピーカを提供することである。
【００１５】
スピーカは、ユニットをオンにするとき、初期設定によって通常モードで作動する。通常モードでは、いずれかのブロードキャスト機能が存在しない。スピーカをブロードキャスティングモードに切り替えるとき、ブロードキャスティングモードのスピーカは、ブロードキャスタの役割またはレシーバの役割のいずれかを果たす。音声ストリームによってスマートフォンと対になることが成功したスピーカは、本システム内のマスタースピーカとしてのブロードキャスタの役割を担う。いずれかのスマートフォンと対にならない、またはいずれかの音声ストリームがないスマートフォンと対になる、のいずれかのスピーカは、スレーブスピーカとしてのレシーバの役割を担う。ブロードキャスティングモードでは、常に、複数のスレーブスピーカに接続し得るブロードキャスティングシステム内に１つのマスタースピーカが存在し、ひいては、マスタースピーカは、全てのスピーカ上で音声を再生するように、このマスタースピーカから複数のスレーブスピーカに音声ストリームを再ブロードキャストし得る。
【００１６】
一実施形態では、図２Ａは、本開示に提供されるブロードキャスティングモード１の概略図を示す。具体的には、マスターモードのマスタースピーカ１は、ブルートゥース（登録商標）によって、スマートフォン１に接続される。スレーブモードのスレーブスピーカ２及びスレーブスピーカＮは、マスタースピーカ１に接続される。マスタースピーカ１に接続される他のスレーブスピーカが存在し得るが、図に示されていない。ブロードキャスティングモード１の間、マスタースピーカ１はＡ２ＤＰによって、音源をスマートフォン１から取得し、音声ストリームを複数のスレーブスピーカ２，Ｎに再ブロードキャストするブロードキャスタの役割を果たす。スレーブスピーカ２，Ｎは、それぞれ、レシーバの役割を果たし、マスタースピーカ１からブロードキャストされる音声ストリームを受信する。マスタースピーカ１とスレーブスピーカ２，Ｎとの間の接続は、出願者によって定義されるブルートゥース（登録商標）低エネルギー（ＢＬＥ）に基づいて特許で保護されたプロトコル等の方法で行われることができる。
【００１７】
図２Ａのブロードキャスティングモード１では、マスタースピーカ１は、音声ストリームを複数のスレーブスピーカ２，Ｎにストリームする。スマートフォン１が音楽を再生し続ける限り、スピーカ１から到達可能な範囲内で、マスタースピーカ１は、スマートフォン１からＡ２ＤＰ音声ストリームを取得及び再生することを継続し、スレーブスピーカ２，Ｎに再ブロードキャストすることを継続する。そして、スレーブスピーカ２，Ｎは、それらのスレーブスピーカがマスタースピーカ１から到達可能なとき、マスタースピーカ１から音声ストリームを受信及び再生することを継続する。一般的に、スピーカ１，２，Ｎのマスターまたはスレーブの役割は、事前に定義される必要があり、スマートフォンアプリ、またはスピーカのそれぞれの特殊設計のボタンを組み合わせて押すこと等を利用することによって設定される必要がある。
【００１８】
別の実施形態では、図２Ｂは、本開示に提供されるブロードキャスティングモード２の概略図を示す。ブロードキャスティングモード２では、スピーカは、ブロードキャスタの役割またはレシーバの役割を果たし、２つの役割を切り替えることが可能である。例として、スレーブモードのスピーカ２は、例えば、別のスマートフォン２から入って来るＡ２ＤＰ音声ストリームが存在するとき、マスターモードに変わる。Ａ２ＤＰ音声ストリームが停止するとき、スピーカ２のマスターモードはスレーブモードに戻るように変わる。スピーカ２は、リセットすることなく、連続的及び自動的に、マスターとスレーブとに切り替わり得る。全ての役割定義は、ユーザが操作しなくても、自動的に完了し得る。
【００１９】
さらに、図２Ｂを参照すると、例として、Ａ２ＤＰ音声ストリームがスマートフォン２から来るとき、スレーブモードのスピーカ２はマスターモードに変わる。スピーカ２の役割がレシーバからブロードキャスタに変わるとき、別のスレーブスピーカＮ’は、例えば、マスタースピーカ２に接続することを増やし得、それからブロードキャスティング音声ストリームを受信することを開始する。スレーブスピーカＮ’は、例として、スピーカ１の代わりに、強力な信号源を伴うスピーカ２と接続する状態になるとき、強力な信号源を捜し得る。本発明では、スレーブスピーカがブロードキャスティング音声ストリームを元のマスタースピーカから受信しなくなるまで、スレーブスピーカは強力な源だけを捜す。
【００２０】
代替として、本発明に従ったスピーカは、ボタンが提供され、スピーカのブロードキャスティングモードは、このボタンを１回押すことによって、オン及びオフになり得る。いったんボタンが押されると、スピーカはブロードキャスティングモード２に入る。
【００２１】
図３は、本開示のスピーカ上のボタンレイアウトの実施形態を示す。ポータブルスピーカは一般ユーザをターゲットにしているため、スピーカのユーザインタフェースは単純にするべきである。図３では、ブルートゥース（登録商標）ペアリングボタン、電源オン／オフボタン、再生／一時停止ボタン、音量アップボタン及び音量ダウンボタン等の、一般的にスピーカに設けられるボタンに加えて、スピーカ上に配置される別のボタン、すなわち、図３に示されるパーティーブーストキーが存在する。このパーティーブーストキーの単純及び直感的に１回ボタンを押すことを利用することによって、スピーカはブロードキャスティングモード２に入り、マスターモードとスレーブモードとを自動的に切り替え得る。
【００２２】
係るパーティーブーストキーのボタンを１回押すと、スピーカのブロードキャスティングモードの初期化を開始し得る。アプリケーション層は、ボタン押しイベントを受信することと、音声再生の状態を判定することと、マスター／スレーブモードを決定することと等を含む、この初期化機能を可能にするように構成される。
【００２３】
係るパーティーブーストキーのボタンを１回押すと、さらに、ブロードキャストの状態マシンの初期化を開始し得る。ブロードキャストの状態マシンを初期化するために各スピーカ上に提供されたパブリックインターフェースが存在し、いったんインターフェースが呼び出されると、ブロードキャスタの役割は初期化され、状態マシンは自動的に起動する。
【００２４】
図４に示されるように、本発明に従ったスピーカは、４つのサブ状態、すなわち、通常モード、レシーバモード、ブロードキャスタモード、及び一時モードを含有する。これらの４つのサブ状態について、通常モード、レシーバモード、及びブロードキャスタモードは安定モードであり、一時モードは中間状態である。
【００２５】
通常モード
スピーカは、ユニットをオンにするとき、初期設定によって通常モードで作動する。通常モードでは、いずれかのブロードキャスト機能が存在しない。例として、図４に示される通常モードのスピーカは、音楽を再生する独立型スピーカとして作動する。通常モードのスピーカの場合、図１のスピーカ１を参照し得る。
【００２６】
ブルートゥース（登録商標）Ａ２ＤＰは、デバイスと、通常モードのスピーカ上で確立される。いったんスピーカ上のパーティーブーストキーが通常モードで押されると、現在の音楽再生状態に応じて、スピーカは、音楽が再生中である場合、ブロードキャスタモードに入り、そうでなければ、スピーカはレシーバモードに入る。
【００２７】
ブロードキャスタモードまたはレシーバモードと、通常モードとにスピーカを切り替える唯一の方法は、パーティーブーストキーを押すことによるも方法である、または、ユニットの電源をオフにし、次に、その電源をオンにすることである。
【００２８】
レシーバモード
レシーバモードは、ブロードキャスティングモードの安定したサブ状態である。スピーカは、スレーブスピーカとして、このレシーバモードで作動し、音声ストリームを、ブロードキャスティングシステムのマスタースピーカから受信する。図４に示される実施形態では、レシーバモードのスピーカは、ブロードキャスティング音楽音声ストリームをブロードキャスタモードの強力な信号デバイスから受信する。加えて、レシーバモードのスピーカは、また、スレーブスピーカの存在を他のアプリケーションに通知している。いったんパーティーブーストキーがレシーバモードで押されると、スピーカは通常モードに戻り、次に、スピーカは受信または通知することを停止する。
【００２９】
ブロードキャスタモード
ブロードキャスタモードは、また、ブロードキャスティングモードの安定したサブ状態である。スピーカは、マスタースピーカとして、このブロードキャスタモードで作動し、音声ストリームを複数のスレーブスピーカに再ブロードキャストする。図４に示される実施形態では、ブロードキャスタモードのスピーカは、音楽音声ストリームを送信し、レシーバモードで他のレシーバにブロードキャストする。加えて、ブロードキャスタモードのスピーカは、また、スピーカと他のアプリケーションとの間で情報を同期するように、他のアプリケーションをスキャンしている。いったんパーティーブーストキーがブロードキャスタモードで押されると、スピーカは通常モードに戻り、次に、スピーカはブロードキャストまたはスキャンすることを停止する。
【００３０】
ブロードキャスタモード及びレシーバモードは、ブロードキャスト機能を行うスピーカの２つの安定したサブ状態であり、スピーカは、それらのモードを動的に及び自動的に切り替えることができる。いったんＡ２ＤＰ音楽が停止されると、スピーカは、自動的にレシーバモードに切り替わる。そうでなければ、いったんＡ２ＤＰ音楽が再び始まると、スピーカはブロードキャスタモードに自動的に切り替わる。
【００３１】
一時モード
上記の安定モードのいずれかでは、スピーカが新しいイベントを有し、そのイベントに対するいくつかのアクションを行うことが必要であり、また、そのアクションに対する応答を待機している場合、そのスピーカは一時モードに切り替わる。
【００３２】
一時モードは、ブロードキャスティングモードの不安定な中間サブ状態である。
【００３３】
いったんスピーカが応答を得て、さらに他のものを待機する必要がなくなると、スピーカは、以前の安定モードに戻るように切り替わる。この不安定モードは、全てのメッセージ伝送が本システムにおいて非同期であり得るため、スピーカが切り替え前のシーンを除去できることを確認するのに一時的で及び短い。状態切替は不安定モードで進行することが可能ではない。いったんスピーカが安定モードに戻ると、スピーカはターゲットモードに自動的に切り替わる。
【００３４】
ブロードキャストの状態マシンを動的に切り替える詳細は、図４を参照して以下のように説明される。
【００３５】
通常モード→レシーバモード
（ブルートゥース（登録商標）Ａ２ＤＰがデバイスと確立される）音楽が再生中ではない場合、スピーカ上のパーティーブーストキーを押すと、スピーカは一時モードに入り、レシーバモードに切り替わり始める。レシーバの役割が既に初期化されている場合、スピーカは、直接、レシーバモードに入る。そうでなければ、ブロードキャスタの役割が既に初期化されている場合、最初にブロードキャスタ役割を削除し、削除が成功した後、次に、レシーバの役割は、自動的に初期化される。初期化が完了したとき、例えば、設定確認イベントが受信されるとき等、スピーカはレシーバモードに入る。
【００３６】
レシーバモード→通常モード
スピーカ上のパーティーブーストキーを押すと、スピーカはレシーバモードを終了する。スピーカが音楽をブロードキャスタから受信中の場合、スピーカは、音楽を再生することを停止するであろう、そして、通常モードになる。音楽が再生中ではない場合、直接、通常モードになる。
【００３７】
通常モード→ブロードキャスタモード
音楽が再生中である場合、スピーカ上のパーティーブーストキーを押すと、スピーカは一時モードに入り、ブロードキャスタモードに切り替わり始める。ブロードキャスタモードに入る前に、レシーバの役割が既に初期化されている場合、スピーカは、最初に、レシーバ役割を削除する。削除が成功した後に、次に、ブロードキャスタの役割を初期化する。ブロードキャスタの役割が既に初期化されている場合、スピーカはブロードキャスタを設定する。そうでなければ、いったん設定確認イベントを受信すると、スピーカはブロードキャスタを起動する。いったん起動確認イベントが受信されると、スピーカはブロードキャスタモードに入る。
【００３８】
ブロードキャスタモード→通常モード
スピーカ上のパーティーブーストキーを押すと、スピーカはブロードキャスタモードを終了する。スピーカは、一時モードに入り、ブロードキャスティングを停止する。いったん停止確認イベントが受信されると、スピーカは通常モードになる。
【００３９】
レシーバ→ブロードキャスタモード
スピーカがレシーバモードでＡ２ＤＰ音楽を再生することを開始する場合、スピーカはブロードキャスタモードに自動的に切り替わる。Ａ２ＤＰによって入って来る音声ストリームは、このスピーカへの（Ａ２ＤＰ音声ストリームを再生するスマートデバイス等への）ブルートゥース（登録商標）接続が確立されていることを意味する。
【００４０】
スピーカがレシーバモードからブロードキャスタモードに切り替わるために、スピーカは、最初に、一時モードに入り、レシーバの役割を削除する。いったん削除イベントが受信されると、次に、スピーカは、ブロードキャスタの役割を初期化する。残りのステップは、通常モードからブロードキャスタモードへの切り替えと同じである。
【００４１】
ブロードキャスタ→レシーバモード
ブロードキャスタモードのスピーカがＡ２ＤＰ音楽を再生することを停止する場合、スピーカは、レシーバモードに自動的に切り替わる。
【００４２】
ブロードキャスタモードからレシーバモードに切り替わるために、スピーカは、最初に、一時モードに入り、ブロードキャスタの役割を削除する。いったんブロードキャスタの役割が削除されると、例えば、削除確認イベントが受信されるとき等、次に、スピーカは、レシーバの役割を初期化する。残りのステップは、通常モードからレシーバモードへの切り替えと同じである。
【００４３】
例示的な実施形態を上記に説明したが、これらの実施形態が本発明の全ての可能な形態を説明することが意図されない。むしろ、本明細書で使用される単語は、限定的ではなく説明のための単語であり、本発明の主旨及び範囲から逸脱することなく様々な変更がなされ得ることが理解される。加えて、本発明のさらなる実施形態を形成するために、実施形態を様々に実装する特徴を組み合わせ得る。
【図１】
2020184750.tif 000003
【図２】
2020184750.tif 000004
【図３】
2020184750.tif 000005
【図４】
2020184750.tif 000006